(57)【要約】【課題】シート押さえ部材を一時的に退避させることを可能にすること。【解決手段】排出シート押さえ機構５は、シート押さえ部材５０および保持機構５２を備える。前記保持機構５２は、前記シート押さえ部材５０に対して予め定められた退避操作が加えられることにより、垂下状態の前記シート押さえ部材５０の位置である基準位置よりもシート９の排出方向の下流側の上方の退避位置に前記シート押さえ部材５０を保持し、前記シート押さえ部材５０に対して予め定められた解除操作が加えられることにより、前記シート押さえ部材５０の前記退避位置での保持を解除する。【選択図】図２
2020029354.tif 000002
【特許請求の範囲】
【請求項１】
シート排出口を構成するフレームと、
前記フレームに支持される基部と前記基部から前記シート排出口に対向して揺動可能に垂下したアーム部とを有し、前記アーム部が前記シート排出口から排出される画像形成後のシートに接触するとともに前記シートを下方へ押さえるシート押さえ部材と、
前記シート押さえ部材に対して予め定められた退避操作が加えられることにより、前記シート押さえ部材を前記アーム部が前記シートに接触しない退避位置に保持し、前記シート押さえ部材に対して予め定められた解除操作が加えられることにより、前記シート押さえ部材の前記退避位置での保持を解除する保持機構と、を備える排出シート押さえ機構。
【請求項２】
前記退避操作が、前記シート押さえ部材を前記退避位置へ持ち上げる操作であり、
前記解除操作が、前記シート押さえ部材を前記退避位置から下方へ下ろす操作であり、
前記保持機構は、前記フレームおよび前記シート押さえ部材の一方に設けられた磁性体と他方に設けられた磁石とを備え、磁力によって前記シート押さえ部を前記退避位置に保持する、請求項１に記載の排出シート押さえ機構。
【請求項３】
前記退避操作が、前記シート押さえ部材を前記退避位置へ持ち上げる操作であり、
前記解除操作が、前記シート押さえ部材を前記退避位置から下方へ下ろす操作であり、
前記保持機構は、前記フレームおよび前記シート押さえ部材に設けられたスナップフィット構造を備え、前記スナップフィット構造によって前記シート押え部材を前記退避位置に保持する、請求項１に記載の排出シート押さえ機構。
【請求項４】
前記退避操作が、前記シート押さえ部材を前記退避位置へ持ち上げる操作であり、
前記解除操作が、前記シート押さえ部材を前記退避位置から下方へ下ろす操作であり、
前記保持機構は、前記フレームおよび前記シート押さえ部材に設けられた面ファスナーを備え、前記面ファスナーによって前記シート押さえ部を前記退避位置に保持する、請求項１に記載の排出シート押さえ機構。
【請求項５】
前記シート押さえ部材は、前記アーム部を前記基部に対してスライドさせるスライド機構を備え、
前記保持機構は、前記フレームに設けられた係止部および前記アーム部に設けられた被係止部を備え、
前記退避操作が、前記シート押さえ部材を前記退避位置へ持ち上げるとともに前記アーム部をスライドさせて、前記被係止部を前記係止部に係止させる操作であり、
前記解除操作が、前記アーム部をスライドさせて、前記係止部による前記被係止部の係止を解除させるとともに前記アーム部を下方へ下ろす操作である、請求項１に記載の排出シート押さえ機構。
【請求項６】
シート搬送路に沿って搬送されるシートに画像を形成する画像形成部と、
画像形成後の前記シートを前記シート搬送路から前記シート排出口を通じて排出する排出ローラー対と、
前記シート排出口から排出される前記シートを押さえる請求項１から請求項５のいずれか１項に記載の排出シート押さえ機構と、を備える画像形成装置。
【発明の詳細な説明】
【技術分野】
【０００１】
本発明は、シート押さえ部材を退避可能な排出シート押さえ機構およびそれを備える画像形成装置に関する。
【背景技術】
【０００２】
画像形成装置は、シート排出口に対向して揺動可能に垂下されたシート押さえ部材を備える場合がある（例えば、特許文献１参照）。
【０００３】
前記シート押さえ部材は、前記シート排出口から排出される画像形成後のシートの上面に接触し、自重によって前記シートを下方へ押さえる。画像形成の過程でカールした前記シートは、前記シート押さえ部材によってカールが緩和されつつ排出トレイ上へ排出される。
【先行技術文献】
【特許文献】
【０００４】
【特許文献１】２０１４−１９５７４号公報
【発明の概要】
【発明が解決しようとする課題】
【０００５】
ところで、前記シートの特性によっては、前記シート押さえ部材が、かえって前記シートの円滑な排出を阻害する場合がある。
【０００６】
例えば、前記シートが通常とは逆の方向へカールする場合、或いは、前記シートが非常に薄く腰が弱い場合などにおいては、前記シートは、前記シート押さえ部材によって押さえられない方が円滑に前記排出トレイ上へ排出されることがある。
【０００７】
また、ユーザーが、状況に応じて前記シート押さえ部材を前記画像形成装置の本体から取り外すことが考えられる。この場合、前記ユーザーは、取り外された前記シート押さえ部材の置き場所に困る。
【０００８】
本発明の目的は、シート押さえ部材を一時的に退避させることが可能な排出シート押さえ機構およびそれを備える画像形成装置を提供することにある。
【課題を解決するための手段】
【０００９】
本発明の一の局面に係る排出シート押さえ機構は、フレームと、シート押さえ部材と、保持機構と、を備える。前記フレームは、シート排出口を構成する。前記シート押さえ部材は、前記フレームに支持される基部と前記基部から前記シート排出口に対向して揺動可能に垂下したアーム部とを有し、前記アーム部が前記シート排出口から排出される画像形成後のシートに接触するとともに前記シートを下方へ押さえる。前記保持機構は、垂下状態の前記アーム部を前記シートに接触しない退避位置に保持し、前記シート押さえ部材に対して予め定められた解除操作が加えられることにより、前記アーム部の前記退避位置での保持を解除する。
【００１０】
本発明の他の局面に係る画像形成装置は、画像形成部と、排出ローラー対と、前記排出シート押さえ機構と、を備える。前記画像形成部は、シート搬送路に沿って搬送されるシートに画像を形成する。前記排出ローラー対は、画像形成後の前記シートを前記シート搬送路から前記シート排出口を通じて排出する。前記排出シート押さえ機構は、前記シート排出口から排出される前記シートを押さえる。
【発明の効果】
【００１１】
本発明によれば、シート押さえ部材を一時的に退避させることが可能な排出シート押さえ機構およびそれを備える画像形成装置を提供することが可能になる。
【図面の簡単な説明】
【００１２】
【図１】図１は、本発明の第１実施形態に係る画像形成装置の構成図である。
【図２】図２は、本発明の第１実施形態に係る画像形成装置における基準状態の排出シート押さえ機構およびその周辺部の一部断面側面図である。
【図３】図３は、本発明の第１実施形態に係る画像形成装置における退避状態の排出シート押さえ機構およびその周辺部の一部断面側面図である。
【図４】図４は、本発明の第２実施形態に係る画像形成装置における基準状態の排出シート押さえ機構およびその周辺部の一部断面側面図である。
【図５】図５は、本発明の第２実施形態に係る画像形成装置における退避状態の排出シート押さえ機構の構成図である。
【図６】図６は、本発明の第３実施形態に係る画像形成装置における基準状態の排出シート押さえ機構およびその周辺部の一部断面側面図である。
【図７】図７は、本発明の第３実施形態に係る画像形成装置における退避状態の排出シート押さえ機構およびその周辺部の一部断面側面図である。
【図８】図８は、本発明の第３実施形態に係る画像形成装置の保持機構における係止部の斜視図である。
【図９】図９は、本発明の第４実施形態に係る画像形成装置における基準状態の排出シート押さえ機構およびその周辺部の一部断面側面図である。
【図１０】図１０は、本発明の第４実施形態に係る画像形成装置における退避前の状態の排出シート押さえ機構およびその周辺部の一部断面側面図である。
【図１１】図１１は、本発明の第４実施形態に係る画像形成装置における退避状態の排出シート押さえ機構およびその周辺部の一部断面側面図である。
【発明を実施するための形態】
【００１３】
以下、図面を参照しながら、本発明の実施形態について説明する。なお、以下の実施形態は、本発明を具体化した一例であって、本発明の技術的範囲を限定するものではない。
【００１４】
［第１実施形態：画像形成装置１０の構成］
第１実施形態に係る画像形成装置１０は、シート９に画像を形成するプリント処理を実行する装置である。図１に示される例では、画像形成装置１０は、電子写真方式で前記プリント処理を実行する。シート９は、用紙または封筒などのシート状の画像形成媒体である。
【００１５】
なお、画像形成装置１０が、インクジェット方式などの他の方式で前記プリント処理を実行する装置であることも考えられる。
【００１６】
画像形成装置１０は、それぞれ本体部１内に設けられたシート収容部２、シート搬送装置３および画像形成部４０などを備える。
【００１７】
画像形成部４０は、作像装置４、光走査装置４６、転写装置４７および定着装置４８を備える。作像装置４は、ドラム状の感光体４１、帯電装置４２、現像装置４３およびドラムクリーニング装置４５などを含む。
【００１８】
図１に示される画像形成装置１０は、タンデム式のカラー画像形成装置である。そのため、画像形成部４０は、複数の色のトナーに対応した複数の作像装置４を備える。さらに、転写装置４７は、中間転写ベルト４７１と、複数の作像装置４に対応する複数のベルト転写装置４７２と、シート転写装置４７３とを備える。
【００１９】
画像形成部４０は、イエロー、シアン、マゼンタおよびブラックの４色の前記トナーに対応する４つの作像装置４および４つのベルト転写装置４７２を備える。
【００２０】
シート搬送装置３は、シート収容部２に収容されたシート９を本体部１内のシート搬送路３０へ送り出す送出ローラー対３００を備える。
【００２１】
さらに、シート搬送装置３は、シート９を挟んで回転することによってシート９をシート搬送路３０に沿って搬送する複数組の搬送ローラー対３１を備える。複数組の搬送ローラー対３１は、排出ローラー対３１ｘを含む。
【００２２】
排出ローラー対３１ｘは、シート排出口３０ａに配置されている。排出ローラー対３１ｘ、シート９を挟んで回転することによってシート９をシート搬送路３０からシート排出口３０ａを通じて排出トレイ１ｘ上へ排出する。シート排出口３０ａは、シート搬送路３０の出口である。
【００２３】
以下の説明において、シート排出口３０ａにおけるシート排出方向のことを排出方向Ｄ１と称し、排出方向Ｄ１に直交する水平な方向のことを幅方向Ｄ２と称する。排出方向Ｄ１は、シート排出口３０ａから排出されるシート９の進行方向である。
【００２４】
作像装置４において、感光体４１が回転し、帯電装置４２が感光体４１の表面を帯電させる。さらに、光走査装置４６が、レーザー光の走査によって感光体４１の表面に静電潜像を書き込む。さらに、現像装置４３が、前記静電潜像をトナー像として現像する。
【００２５】
転写装置４７において、ベルト転写装置４７２各々が、感光体４１各々の表面の前記トナー像を中間転写ベルト４７１の表面へ転写する。これにより、中間転写ベルト４７１の表面にカラーの前記トナー像が形成される。
【００２６】
シート転写装置４７３は、中間転写ベルト４７１に形成された前記トナー像を、シート搬送路３０に沿って搬送されるシート９に転写する。定着装置４８は、シート９に転写された前記トナー像を、加熱および加圧することによってシート９に定着させる。
【００２７】
定着装置４８を通過した画像形成後のシート９は、排出ローラー対３１ｘによってシート排出口３０ａを通じて排出トレイ１ｘ上へ排出される。以上に示されるように、画像形成部４０は、シート搬送路３０に沿って搬送されるシート９に画像を形成するプリント装置である。
【００２８】
さらに、画像形成装置１０は、排出シート押さえ機構５を備える。排出シート押さえ機構５は、シート排出口３０ａから排出されるシート９を下方へ押さえる。排出シート押さえ機構５は、シート排出口３０ａに対向して揺動可能に垂下されたシート押さえ部材５０を備える。
【００２９】
シート押さえ部材５０は、シート排出口３０ａから排出される画像形成後のシート９の上面に接触し、自重によってシート９を下方へ押さえる。
【００３０】
画像形成の過程でカールしたシート９は、シート押さえ部材５０によってカールが緩和されつつ排出トレイ１ｘ上へ排出される。
【００３１】
ところで、シート９の特性によっては、シート押さえ部材５０が、かえってシート９の円滑な排出を阻害する場合がある。
【００３２】
例えば、シート９が通常とは逆の方向へカールする場合、或いは、シート９が非常に薄く腰が弱い場合などにおいては、シート９は、シート押さえ部材５０によって押さえられない方が円滑に排出トレイ１ｘ上へ排出されることがある。また、後処理装置が画像形成装置１０のシート排出口３０ａに連結される場合も同様である。
【００３３】
また、ユーザーが、状況に応じてシート押さえ部材５０を画像形成装置１０の本体部１から取り外すことが考えられる。この場合、前記ユーザーは、取り外されたシート押さえ部材５０の置き場所に困る。
【００３４】
一方、画像形成装置１０は、シート押さえ部材５０を一時的に退避させることが可能な排出シート押さえ機構５を備える。
【００３５】
画像形成装置１０は、幅方向Ｄ２に間隔を空けて配置された複数の排出シート押さえ機構５を備える。排出シート押さえ機構５各々が、シート押さえ部材５０を備える。複数のシート押さえ部材５０は、それぞれ独立して揺動可能に支持されている。
【００３６】
［排出シート押さえ機構５］
図２，３に示されるように、排出シート押さえ機構５は、シート押さえ部材５０、支持部５１および保持機構５２を備える。
【００３７】
シート押さえ部材５０は、軸部５０ａ、アーム部５０ｂおよび接触面５０ｃを有する。軸部５０ａは、幅方向Ｄ２に沿って形成されている。アーム部５０ｂは、軸部５０ａから下方に延びて形成されている。
【００３８】
接触面５０ｃは、アーム部５０ｂにおける軸部５０ａに対し反対側の端面である。接触面５０ｃは、シート排出口３０ａから排出されるシート９の先端または上面に接触する。
【００３９】
支持部５１は、画像形成装置１０の本体部１の内フレーム１ｚに固定され、シート押さえ部材５０の軸部５０ａを回転可能に支持する。シート押さえ部材５０は、軸部５０ａから下方へ垂下している。
【００４０】
即ち、支持部５１は、シート押さえ部材５０を、軸部５０ａを中心に揺動可能に垂下状態で支持する。以下の説明において、垂下状態のシート押さえ部材５０の位置のことを基準位置と称する。図２は、シート押さえ部材５０が前記基準位置に位置する基準状態の排出シート押さえ機構５を示す。
【００４１】
シート押さえ部材５０は、シート排出口３０ａから排出されるシート９によってアーム部５０ｂが押圧されることにより揺動し、アーム部５０ｂが排出方向Ｄ１の下流側上方へ変位する。また、シート９がアーム部５０ｂの位置を通過したときに、シート押さえ部材５０は前記基準状態へ戻る。
【００４２】
保持機構５２は、シート押さえ部材５０に対して予め定められた退避操作が加えられることにより、前記基準位置よりもシートの排出方向Ｄ１の下流側の上方の退避位置にシート押さえ部材５０を保持する。図３は、シート押さえ部材５０が保持機構５２によって前記退避位置に保持されている退避状態の排出シート押さえ機構５を示す。
【００４３】
図３に示される例では、シート押さえ部材５０の前記退避位置は、シート押さえ部材５０がシート排出口３０ａから排出されるシート９に接触しない位置である。即ち、前記退避位置は、シート押さえ部材５０がシート９との接触によって揺動する範囲よりも上方の位置である。
【００４４】
本実施形態において、前記退避操作は、シート押さえ部材５０のアーム部５０ｂを前記基準位置から前記退避位置へ持ち上げる操作である。
【００４５】
さらに、保持機構５２は、シート押さえ部材５０に対して予め定められた解除操作が加えられることにより、シート押さえ部材５０の前記退避位置での保持を解除する。
【００４６】
本実施形態の保持機構５２は、磁力によってシート押さえ部材５０を前記退避位置に保持する永久磁石５２１および磁性体５２２を備える。磁性体５２２は、永久磁石５２１の磁力によって永久磁石５２１を引きつける。磁性体５２２は、例えば鉄である。
【００４７】
永久磁石５２１および磁性体５２２の一方は、シート押さえ部材５０のアーム部５０ｂに取り付けられている。永久磁石５２１および磁性体５２２の他方は、前記退避位置のシート押さえ部材５０におけるアーム部５０ｂに対向する位置で、排出ローラー対３１ｘの上方を覆う外フレーム１ｙの内側面に取り付けられている。
【００４８】
図２，３に示される例では、永久磁石５２１が外フレーム１ｙの内側面に取り付けられており、磁性体５２２がシート押さえ部材５０のアーム部５０ｂに取り付けられている。
【００４９】
本実施形態において、前記解除操作は、シート押さえ部材５０を前記退避位置から下方へ下ろす操作である。これにより、永久磁石５２１および磁性体５２２が離隔し、磁性体５２２に対する永久磁石５２１の引力が作用しなくなる。その結果、永久磁石５２１の磁力によるシート押さえ部材５０の前記退避位置への保持が解除される。
【００５０】
保持機構５２が採用されることにより、ユーザーは、シート押さえ部材５０がかえってシート９の円滑な排出を阻害すると判断する場合に、簡易な操作により、シート押さえ部材５０を一時的に前記退避位置へ退避させること、および、前記基準位置に戻すことができる。
【００５１】
また、シート押さえ部材５０が支持部５１から取り外されないため、前記ユーザーは、シート押さえ部材５０の置き場所に困ることもない。
【００５２】
また、保持機構５２は、部品数が少なく、ごく簡易な機構であり、組み立ても容易である。
【００５３】
［第２実施形態］
次に、図４，５を参照しつつ、第２実施形態に係る画像形成装置１０Ａが備える排出シート押さえ機構５Ａについて説明する。
【００５４】
図４，５において、図１〜３に示される構成要素と同じ構成要素は、同じ参照符号が付されている。
【００５５】
画像形成装置１０Ａは、画像形成装置１０の排出シート押さえ機構５が排出シート押さえ機構５Ａに置き換えられた構成を備える。排出シート押さえ機構５Ａは、排出シート押さえ機構５の保持機構５２が保持機構５２Ａに置き換えられた構成を備える。
【００５６】
以下、保持機構５２Ａにおける保持機構５２と異なる点について説明する。図４は、シート押さえ部材５０が前記基準位置に位置する前記基準状態の排出シート押さえ機構５Ａを示す。
【００５７】
保持機構５２Ａも、保持機構５２と同様に、シート押さえ部材５０に対して前記退避操作が加えられることにより、前記退避位置にシート押さえ部材５０を保持する。図５は、シート押さえ部材５０が保持機構５２Ａによって前記退避位置に保持されている前記退避状態の排出シート押さえ機構５Ａを示す。
【００５８】
本実施形態においても、前記退避操作は、シート押さえ部材５０のアーム部５０ｂを前記基準位置から前記退避位置へ持ち上げる操作である。
【００５９】
さらに、保持機構５２Ａは、保持機構５２と同様に、シート押さえ部材５０に対して前記解除操作が加えられることにより、シート押さえ部材５０の前記退避位置での保持を解除する。
【００６０】
保持機構５２Ａは、前記シート押さえ部を前記退避位置に保持する面ファスナーを備える。前記面ファスナーは、フック面部材５２３およびループ面部材５２４を含む。フック面部材５２３は、表面に複数のフックが形成された部材である。ループ面部材５２４は、表面に前記複数のフックと係合する複数のループが形成された部材である。
【００６１】
フック面部材５２３およびループ面部材５２４の一方は、シート押さえ部材５０のアーム部５０ｂに取り付けられている。フック面部材５２３およびループ面部材５２４の他方は、前記退避位置のシート押さえ部材５０におけるアーム部５０ｂに対向する位置で、外フレーム１ｙの内側面に取り付けられている。
【００６２】
図４，５に示される例では、フック面部材５２３が外フレーム１ｙの内側面に取り付けられており、ループ面部材５２４がシート押さえ部材５０のアーム部５０ｂに取り付けられている。
【００６３】
本実施形態においても、前記解除操作は、シート押さえ部材５０を前記退避位置から下方へ下ろす操作である。これにより、フック面部材５２３およびループ面部材５２４が離隔し、前記面ファスナーによるシート押さえ部材５０の前記退避位置への保持が解除される。
【００６４】
保持機構５２Ａが採用されることにより、保持機構５２が採用される場合と同様の効果が得られる。
【００６５】
［第３実施形態］
次に、図６〜８を参照しつつ、第３実施形態に係る画像形成装置１０Ｂが備える排出シート押さえ機構５Ｂについて説明する。
【００６６】
図５〜７において、図１〜３に示される構成要素と同じ構成要素は、同じ参照符号が付されている。
【００６７】
画像形成装置１０Ｂは、画像形成装置１０の排出シート押さえ機構５が排出シート押さえ機構５Ｂに置き換えられた構成を備える。排出シート押さえ機構５Ｂは、排出シート押さえ機構５の保持機構５２が保持機構５２Ｂに置き換えられた構成を備える。
【００６８】
以下、保持機構５２Ｂにおける保持機構５２と異なる点について説明する。図７は、シート押さえ部材５０が前記基準位置に位置するときの排出シート押さえ機構５Ｂを示す。
【００６９】
保持機構５２Ｂも、保持機構５２と同様に、シート押さえ部材５０に対して前記退避操作が加えられることにより、前記退避位置にシート押さえ部材５０を保持する。図７は、シート押さえ部材５０が保持機構５２Ｂによって前記退避位置に保持されているときの排出シート押さえ機構５Ｂを示す。
【００７０】
本実施形態においても、前記退避操作は、シート押さえ部材５０のアーム部５０ｂを前記基準位置から前記退避位置へ持ち上げる操作である。
【００７１】
さらに、保持機構５２Ｂは、保持機構５２と同様に、シート押さえ部材５０に対して前記解除操作が加えられることにより、シート押さえ部材５０の前記退避位置での保持を解除する。
【００７２】
保持機構５２Ｂは、可撓係止部５２５と被係止部５２６とを備える。可撓係止部５２５は、可撓性の部材である。例えば、可撓係止部５２５が、ゴム部材、または、厚みの小さな合成樹脂の部材であることが考えられる。
【００７３】
可撓係止部５２５は、外フレーム１ｙの内側面に取り付けられている。被係止部５２６は、シート押さえ部材５０におけるアーム部５０ｂの一部である。
【００７４】
図８に示される例では、保持機構５２Ｂは、２つの可撓係止部５２５とそれらに対応する２つの被係止部５２６とを備える。なお、図８において、２つの被係止部５２６が形成されたシート押さえ部材５０の一部が仮想線（二点鎖線）で示されている。
【００７５】
可撓係止部５２５は、前記退避操作により上方へ変位するシート押さえ部材５０の被係止部５２６と接触する。その際、可撓係止部５２５は、被係止部５２６から圧力を受けて撓んだ後に、シート押さえ部材５０の被係止部５２６を係止する。これにより、可撓係止部５２５は、シート押さえ部材５０を前記退避位置に係止する。
【００７６】
本実施形態においても、前記解除操作は、シート押さえ部材５０を前記退避位置から下方へ下ろす操作である。
【００７７】
可撓係止部５２５は、前記解除操作により下方へ変位するシート押さえ部材５０の被係止部５２６から圧力を受けて撓む。これにより、可撓係止部５２５は、シート押さえ部材５０に対する係止を解除する。即ち、被係止部５２６に対する可撓係止部５２５の係止が外れる。
【００７８】
外フレーム１ｙに設けられた可撓係止部５２５およびシート抑え部材５０に設けられた被係止部５２６は、スナップフィット構造の一例である。保持機構５２Ｂが採用されることにより、保持機構５２が採用される場合と同様の効果が得られる。
【００７９】
［第４実施形態］
次に、図９〜１１を参照しつつ、第４実施形態に係る画像形成装置１０Ｃが備える排出シート押さえ機構５Ｃについて説明する。
【００８０】
図９〜１１において、図１〜３に示される構成要素と同じ構成要素は、同じ参照符号が付されている。
【００８１】
画像形成装置１０Ｃは、画像形成装置１０の排出シート押さえ機構５が排出シート押さえ機構５Ｃに置き換えられた構成を備える。排出シート押さえ機構５Ｃは、排出シート押さえ機構５のシート押さえ部材５０および保持機構５２がシート押さえ部材５０Ｘおよび保持機構５２Ｃに置き換えられた構成を備える。
【００８２】
以下、シート押さえ部材５０Ｘにおけるシート押さえ部材５０と異なる点、および、保持機構５２Ｃにおける保持機構５２と異なる点について説明する。図９は、シート押さえ部材５０が前記基準位置に位置するときの排出シート押さえ機構５Ｃを示す。
【００８３】
保持機構５２Ｃも、保持機構５２と同様に、シート押さえ部材５０に対して前記退避操作が加えられることにより、前記退避位置にシート押さえ部材５０を保持する。図１１は、シート押さえ部材５０が保持機構５２Ｃによって前記退避位置に保持されているときの排出シート押さえ機構５Ｃを示す。
【００８４】
シート押さえ部材５０Ｘは、伸縮機構を備える。具体的には、シート押さえ部材５０Ｘは、軸部５０ａと、軸部５０ａが設けられた基部５０ｄと、接触面５０ｃを含む伸縮部５０ｅと、スライド連結部５０ｆとを有する。
【００８５】
本実施形態において、基部５０ｄ、スライド連結部５０ｆおよび伸縮部５０ｅがアーム部５０ｂを構成している。スライド連結部５０ｆは、アーム部５０ｂを基部５０ｄに対してスライドさせるスライド機構の一例である。
【００８６】
スライド連結部５０ｆは、基部５０ｄに対して伸縮部５０ｅを伸縮方向にスライド可能に連結する機構である。これにより、伸縮部５０ｅが基部５０ｄに対して伸縮可能である。
【００８７】
本実施形態において、シート押さえ部材５０Ｘが前記基準位置に位置するときに、伸縮部５０ｅは、自重によって基部５０ｄから伸び出る。
【００８８】
保持機構５２Ｃは、係止部５２７と可変被係止部５２８とを備える。係止部５２７は、図６〜８に示される可撓係止部５２５とは異なり、硬質の部材である。係止部５２７は、外フレーム１ｙの内側面に設けられている。
【００８９】
係止部５２７が外フレーム１ｙと一体に形成されていること、または、係止部５２７が外フレーム１ｙに取り付けられた部材であることが考えられる。
【００９０】
可変被係止部５２８は、シート押さえ部材５０Ｘにおける伸縮部５０ｅの一部である。従って、伸縮部５０ｅが基部５０ｄに対して伸縮することにより、可変被係止部５２８は、基部５０ｄに対して前記伸縮方向に変位する。
【００９１】
なお、保持機構５２Ｃも、図８に示される保持機構５２Ｂにおける可撓係止部５２５および被係止部５２６と同様に、２つの係止部５２７とそれらに対応する２つの可変被係止部５２８とを備えることが考えられる。この場合、２つの可変被係止部５２８は、伸縮部５０ｅの両側へ張り出して形成されている。また、２つの係止部５２７は、伸縮部５０ｅにおける２つの可変被係止部５２８以外の部分の幅よりも広い間隔を空けて設けられている。
【００９２】
本実施形態において、前記退避操作は、シート押さえ部材５０Ｘのアーム部５０ｂを前記基準位置から前記退避位置へ持ち上げるとともにシート押さえ部材５０Ｘを収縮させた後に伸張させる操作である。換言すれば、本実施形態における前記退避操作は、アーム部５０ｂをスライドさせて、可変被係止部５２８を係止部５２７に係止させる操作である。
【００９３】
図１０は、シート押さえ部材５０Ｘが前記退避位置へ持ち上げられ、かつ、シート押さえ部材５０Ｘが収縮しているときの排出シート押さえ機構５Ｃを示す。図１１は、シート押さえ部材５０Ｘが前記退避位置へ持ち上げられ、かつ、シート押さえ部材５０Ｘが伸張している退避状態の排出シート押さえ機構５Ｃを示す。図１０に示される排出シート押さえ機構５Ｃは、シート押さえ部材５０Ｘの退避前の状態である。
【００９４】
前記退避操作により、保持機構５２Ｃの可変被係止部５２８は、係止部５２７と干渉しない位置から係止部５２７によって係止される位置へ変位する。これにより、係止部５２７は、シート押さえ部材５０Ｘの可変被係止部５２８を係止する。即ち、シート押さえ部材５０Ｘが保持機構５２Ｃによって前記退避位置に保持される（図１１参照）。
【００９５】
さらに、保持機構５２Ｃは、シート押さえ部材５０に対して前記解除操作が加えられることにより、シート押さえ部材５０Ｘの前記退避位置での保持を解除する。
【００９６】
本実施形態において、前記解除操作は、シート押さえ部材５０Ｘを収縮させるとともに前記退避位置から下方へ下ろす操作である。換言すれば、本実施形態における前記解除操作は、アーム部５０ｂをスライドさせて、係止部５２７による可変被係止部５２８の係止を解除させるとともにアーム部５０ｂを下方へ下ろす操作である。
【００９７】
前記退避位置のシート押さえ部材５０Ｘにおける伸縮部５０ｅが収縮することにより、可変被係止部５２８は、係止部５２７と干渉しない位置へ変位する。これにより、係止部５２７は、シート押さえ部材５０Ｘに対する係止を解除する。即ち、可変被係止部５２８に対する係止部５２７の係止が外れる。
【００９８】
以上に示されるように、保持機構５２Ｃの係止部５２７は、前記退避操作により前記退避位置で伸張したシート押さえ部材５０Ｘを前記退避位置に係止する。さらに、係止部５２７は、前記解除操作によってシート押さえ部材５０Ｘが収縮することにより、シート押さえ部材５０に対する係止を解除する。
【００９９】
保持機構５２Ｃが採用されることにより、保持機構５２が採用される場合と同様の効果が得られる。
【符号の説明】
【０１００】
１      ：本体部
１ｘ    ：排出トレイ
１ｙ    ：外フレーム
１ｚ    ：フレーム
２      ：シート収容部
３      ：シート搬送装置
４      ：作像装置
５      ：排出シート押さえ機構
５Ａ    ：排出シート押さえ機構
５Ｂ    ：排出シート押さえ機構
５Ｃ    ：排出シート押さえ機構
９      ：シート
１０    ：画像形成装置
１０Ａ  ：画像形成装置
１０Ｂ  ：画像形成装置
１０Ｃ  ：画像形成装置
３０    ：シート搬送路
３０ａ  ：シート排出口
３１    ：搬送ローラー対
３１ｘ  ：排出ローラー対
４０    ：画像形成部
４１    ：感光体
４２    ：帯電装置
４３    ：現像装置
４５    ：ドラムクリーニング装置
４６    ：光走査装置
４７    ：転写装置
４８    ：定着装置
５０    ：シート押さえ部材
５０Ｘ  ：シート押さえ部材
５０ａ  ：軸部
５０ｂ  ：アーム部
５０ｃ  ：接触面
５０ｄ  ：基部
５０ｅ  ：伸縮部
５０ｆ  ：スライド連結部
５１    ：支持部
５２    ：保持機構
５２Ａ  ：保持機構
５２Ｂ  ：保持機構
５２Ｃ  ：保持機構
３００  ：送出ローラー対
４７１  ：中間転写ベルト
４７２  ：ベルト転写装置
４７３  ：シート転写装置
５２１  ：永久磁石
５２２  ：磁性体
５２３  ：フック面部材
５２４  ：ループ面部材
５２５  ：可撓係止部
５２６  ：被係止部
５２７  ：係止部
５２８  ：可変被係止部
Ｄ１    ：排出方向
Ｄ２    ：幅方向
【図１】
2020029354.tif 000003
【図２】
2020029354.tif 000004
【図３】
2020029354.tif 000005
【図４】
2020029354.tif 000006
【図５】
2020029354.tif 000007
【図６】
2020029354.tif 000008
【図７】
2020029354.tif 000009
【図８】
2020029354.tif 000010
【図９】
2020029354.tif 000011
【図１０】
2020029354.tif 000012
【図１１】
2020029354.tif 000013